(57)【要約】【課題】操作リングの操作トルクをカメラマンの好みに合わせて、あるいは撮影の状況に応じて任意に調整可能にする。【解決手段】固定環５と、固定環５の内側に配設されたカム筒４を含む光学部材（ズームレンズ）と、固定環５の外周面上に同心円状に配設され、固定環５に対して回転することによりズームレンズを動作せるズームリング１６とを有し、固定環５とズームリング１６との間にグリース５０が充填されたレンズ装置である。ズームリング１６は、ズームリング１６の操作時に把持される握力に応じて弾性変形するように構成されている。カメラマンは、ズームリング１６を握力により変形させることによりズームリング１６と固定環５との隙間の厚みを変化させ、グリース５０による粘性抵抗（操作トルク）を任意に調整することができる。【選択図】  図２
2013050685.tif 000002
【特許請求の範囲】
【請求項１】
固定環と、前記固定環の内側に配設された光学部材と、前記固定環の外周面上に同心円状に配設され、該固定環に対して回転することにより前記光学部材を動作させる操作リングとを有し、前記固定環と操作リングとの間に潤滑剤が充填されたレンズ装置であって、
前記操作リングは、該操作リングの操作時に把持される握力に応じて弾性変形するように構成され、前記固定環と操作リングとの隙間の厚みの変化により前記潤滑剤による粘性抵抗を変化させることを特徴とするレンズ装置。
【請求項２】
前記操作リングは、弾性変形のしやすさが前記レンズ装置の光軸方向の位置によって異なる請求項１に記載のレンズ装置。
【請求項３】
前記操作リングは、前記レンズ装置の光軸方向の位置に対応して肉厚が連続的に変化するように構成されている請求項２に記載のレンズ装置。
【請求項４】
前記操作リングは、前記レンズ装置の光軸方向の位置に対応して肉厚が段階的に変化するように構成されている請求項２に記載のレンズ装置。
【請求項５】
前記操作リングよりも弾性変形しやすい弾性部材からなるリング部材であって、前記操作リングの外周面を被覆し、かつ前記操作リングを覆った状態で、その外径が光軸方向の位置によらず略一定であるリング部材を備える請求項３又は４に記載のレンズ装置。
【請求項６】
前記操作リングは、該操作リングの内周面に複数本のＶ字状の切れ込みが等間隔で形成され、前記複数本の切れ込みのうちの一部の切れ込みが拡がり、他の一部の切れ込みが狭くなることにより変形する請求項１に記載のレンズ装置。
【請求項７】
前記操作リングは、前記レンズ装置の光軸方向の位置に応じて前記Ｖ字状の切れ込みの深さ又は本数が異なり、弾性変形のしやすさが前記レンズ装置の光軸方向の位置によって異なる請求項６に記載のレンズ装置。
【請求項８】
前記操作リングの一定以上の変形を制限する変形防止手段を備える請求項１から５のいずれか１項に記載のレンズ装置。
【請求項９】
前記変形防止手段は、前記固定環と操作リングとの隙間に充填された潤滑剤であって、最小限の隙間を確保するための微粒子が練り込まれた潤滑剤である請求項８に記載のレンズ装置。
【請求項１０】
前記操作リングは、前記複数本のＶ字状の切れ込みのうちの一部の切れ込みが塞がることにより、該操作リングの一定以上の変形が制限される請求項６又は７に記載のレンズ装置。
【請求項１１】
前記固定環の内側に配設された光学部材は、フォーカスレンズ、ズームレンズ、又はアイリスである請求項１から１０のいずれか１項に記載のレンズ装置。
【発明の詳細な説明】
【技術分野】
【０００１】
本発明はレンズ装置に係り、特に手動の操作力によりズームレンズ、フォーカスレンズ、又はアイリス等の光学部材の操作が行われるレンズ装置に関する。
【背景技術】
【０００２】
レンズ装置を持ち運び可能なＥＮＧ(Electronic News Gathering)カメラに装着したものが、テレビの取材等で使用される。ＥＮＧカメラは、三脚に固定したり、携帯したりして撮影が行われる。
【０００３】
図９はこの種のレンズ装置に設けられているズーム機構の一例を示している。図９に示すようにズームリング１とカム筒２とは、棒状の連結軸３を介して連結されており、ズームリング１を回転させると、カム筒２を回転させることができる。カム筒２の内側には、レンズ枠４に保持されたレンズ６が配設されている。このレンズ枠４には、カム従動子４ａが植設されており、カム従動子４ａは、カム筒２のカム溝２ａ，及び固定環５に形成された直進溝５ａに摺動自在に挿入されている。これにより、レンズ枠４は、光軸方向に移動自在に保持されるとともに、ズームリング１の回転操作によるカム筒２の回転により光軸方向に移動する。
【０００４】
カメラマンがズームレンズ等を手動で操作する場合、カメラマンの意図に沿った操作トルクが得られることが望ましい。従来、ズームレンズ等の操作トルクは、ズームリング１とカム筒２の間に充填したグリースや部品の締め付け量などによって変化し、レンズ製造時に製造者が適度な操作トルクになるようにグリース量や締め付け量を調節していた。
【０００５】
特許文献１には、フォーカスリングを弾性変形させ、リング内側にある導電部材を押して通電させることにより、オートフォーカス開始モードに切り替える技術が記載されている（特許文献１の段落［００６０］）。
【０００６】
特許文献２には、カム部材を回転させて付勢部材の弾性変形状態を変化させ、摩擦力を変更することで、ズームリングの操作力を一定に保つ技術が記載されている。
【０００７】
特許文献３には、レンズ鏡筒の内筒に設けた窪みに弾性部材を配置し、その弾性部材が外筒の回転に際して弾性変形することで摩擦力を生じさせ、回転操作力を変化させる技術が記載されている。
【先行技術文献】
【特許文献】
【０００８】
【特許文献１】特開２００２−１０７６０４号公報
【特許文献２】特開平８−３３４６６９号公報
【特許文献３】特開２００８−５２２１９号公報
【発明の概要】
【発明が解決しようとする課題】
【０００９】
ズームレンズ等を手動で操作する場合、ズームレンズをワイド端とテレ端との間で素早く移動させる場合、あるいはフォーカスレンズを至近端と無限遠端との間で素早く移動させる場合には、操作トルクが小さく、一方、ゆっくり移動させる場合には、操作トルクが大きい方が操作しやすい。また、操作トルクの大きさは、カメラマンの好みにより異なる。
【００１０】
特許文献１に記載の発明は、フォーカスリングの操作トルクを調整するものではない。特許文献２に記載の発明は、ズームリングの操作力を一定に保つものであり、カメラマンが自ら好みの操作トルクに調整するものではない。また、特許文献３に記載の発明は、レンズ鏡筒の内筒と外筒との間に配設した断面非対称形の弾性部材により、回転方向に応じて操作力を変化させるものであり、操作トルクの大きさをカメラマンの好みに調整するものではない。
【００１１】
本発明はこのような事情に鑑みてなされたもので、操作リングの操作トルクをカメラマンの好みに合わせて、あるいは撮影の状況に応じて任意に調整することができるレンズ装置を提供することを目的とする。
【課題を解決するための手段】
【００１２】
前記目的を達成するために本発明の一の態様に係るレンズ装置は、固定環と、前記固定環の内側に配設された光学部材と、前記固定環の外周面上に同心円状に配設され、該固定環に対して回転することにより前記光学部材を動作させる操作リングとを有し、前記固定環と操作リングとの間に潤滑剤が充填されたレンズ装置であって、前記操作リングは、該操作リングの操作時に把持される握力に応じて弾性変形するように構成され、前記固定環と操作リングとの隙間の厚みの変化により前記潤滑剤による粘性抵抗を変化させることを特徴としている。
【００１３】
本発明の一の態様によれば、前記操作リングを把持する握力を大きくして該操作リングを操作すると、その把持する握力に応じて操作リングが弾性変形し、前記固定環と操作リングとの隙間が変化する。前記固定環と操作リングとの隙間が狭くなると、この隙間に充填されている潤滑剤の粘性抵抗が増大し、操作トルクが大きくなる。即ち、カメラマンは、操作リングを把持する握力を調整することで、操作リングの操作トルクを調整することができる。
【００１４】
本発明の他の態様に係るレンズ装置において、前記操作リングは、弾性変形のしやすさが前記レンズ装置の光軸方向の位置によって異なるように構成されている。これにより、操作リングを握る位置を調整することにより、該操作リングの変形量（操作トルク）を調整することができる。
【００１５】
本発明の更に他の態様に係るレンズ装置において、前記操作リングは、前記レンズ装置の光軸方向の位置に対応して肉厚が連続的に変化するように構成されている。これにより、操作リングを把持する握力を一定にしても、その操作リングを把持する位置を調整することにより、該操作リングの変形量（操作トルク）を連続的に調整することができる。
【００１６】
本発明の更に他の態様に係るレンズ装置において、前記操作リングは、前記レンズ装置の光軸方向の位置に対応して肉厚が段階的に変化するように構成されている。これにより、操作リングを把持する握力を一定にしても、その操作リングを把持する位置を調整することにより、該操作リングの変形量（操作トルク）を段階的に調整することができる。
【００１７】
本発明の更に他の態様に係るレンズ装置において、前記操作リングよりも弾性変形しやすい弾性部材からなるリング部材であって、前記操作リングの外周面を被覆し、かつ前記操作リングを覆った状態で、その外径が光軸方向の位置によらず略一定であるリング部材を備えることが好ましい。これにより、操作リングの肉厚が光軸方向の位置で異なっていても、その外周面の径を略一定に保つことができ、違和感なく操作することができる。
【００１８】
本発明の更に他の態様に係るレンズ装置において、前記操作リングは、該操作リングの内周面に複数本のＶ字状の切れ込みが等間隔で形成され、前記複数本の切れ込みのうちの一部の切れ込みが拡がり、他の一部の切れ込みが狭くなることにより変形する。即ち、前記操作リングを適宜の握力で把持すると、該操作リングの内周面側の一部には引っ張り力が作用し、他の一部には圧縮力が作用する。そして、引っ張り力が作用する内周面近傍のＶ字状の切れ込みは、その切れ込みが拡がり、圧縮力が作用する内周面近傍の切れ込みは、その切れ込みが狭くなる。
【００１９】
本発明の更に他の態様に係るレンズ装置において、前記操作リングは、前記レンズ装置の光軸方向の位置に応じて前記Ｖ字状の切れ込みの深さ又は本数が異なり、弾性変形のしやすさが前記レンズ装置の光軸方向の位置によって異なるようになっている。これにより、操作リングを握る位置を調整することにより、該操作リングの変形量（操作トルク）を調整することができる。
【００２０】
本発明の更に他の態様に係るレンズ装置において、前記操作リングの一定以上の変形を制限する変形防止手段を備えることが好ましい。前記固定環と操作リングとの隙間には、潤滑剤が充填されているが、その隙間が０になると、潤滑剤切れが生じ、操作トルクが過大になる。そこで、前記変形防止手段により前記操作リングの変形を制限し、潤滑剤切れが生じないようにしている。
【００２１】
本発明の更に他の態様に係るレンズ装置において、前記変形防止手段は、前記固定環と操作リングとの隙間に充填された潤滑剤であって、最小限の隙間を確保するための微粒子が練り込まれた潤滑剤である。前記潤滑剤に練り込まれた微粒子により前記固定環と操作リングとの隙間が、前記微粒子の径よりも狭くならないようにし、潤滑剤切れを防止するようにしている。
【００２２】
本発明の更に他の態様に係るレンズ装置において、前記操作リングは、前記複数本のＶ字状の切れ込みのうちの一部の切れ込みが塞がることにより、該操作リングの一定以上の変形が制限される。即ち、前記操作リングの変形が進むと、該操作リングの内周面のうちの圧縮力が作用する内周面近傍のＶ字状の切れ込みは、その切れ込みが塞がる。これにより、前記操作リングの過度の変形を防止することができ、部品の破損や潤滑剤切れを防止することができる。
【００２３】
本発明の更に他の態様に係るレンズ装置において、前記固定環の内側に配設された光学部材は、フォーカスレンズ、ズームレンズ、又はアイリスである。
【発明の効果】
【００２４】
本発明によれば、操作リングを把持する握力に応じて操作リングを弾性変形させるようにしたため、固定環と操作リングとの隙間の隙間に充填されている潤滑剤の粘性抵抗（操作トルク）を調整することができ、カメラマンは、操作リングの操作トルクを自分の好みに合わせて、あるいは撮影の状況に応じて任意に調整することができる。
【図面の簡単な説明】
【００２５】
【図１】本発明に係るレンズ装置が適用されたＥＮＧレンズの外観を示した平面図
【図２】図１に示したレンズ装置の第１の実施形態を示す要部断面図
【図３】本発明に係るレンズ装置の第２の実施形態を示す要部断面図
【図４】本発明に係るレンズ装置の第３の実施形態を示す要部断面図
【図５】本発明に係るレンズ装置の第４の実施形態を示す要部断面図
【図６】本発明に係るレンズ装置の第５の実施形態を示す要部断面図
【図７】本発明に係るレンズ装置の第６の実施形態を示す要部断面図
【図８】本発明に係るレンズ装置の第７の実施形態を示す要部断面図
【図９】従来のレンズ装置の要部断面図
【発明を実施するための形態】
【００２６】
以下、添付図面に従って本発明に係るレンズ装置の実施の形態について説明する。
【００２７】
［レンズ装置の外観］
図１は、本発明に係るレンズ装置が適用されたＥＮＧレンズの外観を示した平面図である。図１に示すＥＮＧレンズ１０は、ＥＮＧカメラ等の放送用テレビカメラに用いられるインナーフォーカス式ズームレンズであり、レンズ鏡胴１２には、フォーカスリング１４、ズームリング１６及びアイリスリング１８が設けられ、アイリスリング１８の後部にはエクステンダ装置２０が設けられている。レンズ鏡胴１２の後端部には撮像素子等を搭載したカメラ本体（カメラヘッド）のレンズマウントに着脱可能に装着されるマウント部１２２が設けられている。
【００２８】
また、レンズ鏡胴１２の側部には前記フォーカスリング１４、ズームリング１６及びアイリスリング１８をモータで駆動するための駆動ユニット２４が取り付けられている。
【００２９】
レンズ鏡胴１２の内部構成については詳細な説明を省略するが、周知の如く、レンズ鏡胴１２内に支持される撮影光学系として、前方（被写体側）から順に、固定フォーカスレンズ群、移動フォーカスレンズ（単にフォーカスレンズ群という）、変倍レンズ群（ズームレンズ群）、絞り（絞り装置）、及びリレーレンズ群等が配置されている。そして、フォーカスリング１４を回動することによりフォーカスレンズ群が光軸に沿って前後移動して撮影光学系のフォーカス（焦点位置）が至近側又は無限遠側に移動し、ズームリング１６を回動することによりズームレンズ群が光軸に沿って前後移動して撮影光学系のズーム（焦点距離）がワイド側又はテレ側に移動し、アイリスリング１８を回動することにより絞りの開口径が変化し、撮影光学系の絞り値が増加又は減少するようになっている。
【００３０】
駆動ユニット２４はケース２８を有し、このケース２８はビス１９、１９によりレンズ鏡胴１２の側部に取り付けられている。
【００３１】
ケース２８内には、図示しないフォーカス駆動用モータ、ズーム駆動用モータ、アイリス駆動用モータ等が配置されている。フォーカス駆動用モータは、ギヤ伝達機構を介してフォーカスリング１４に連結されており、このフォーカス駆動用モータの動力によりフォーカスリング１４が回動するようになっている。
【００３２】
また、ズーム駆動用モータは、ギヤ伝達機構を介してズームリング１６に連結されており、ズーム駆動用モータの動力によりズームリング１６が回動するようになっている。同様にアイリス駆動用モータは、ギヤ伝達機構を介してアイリスリング１８に連結されており、このアイリス駆動用モータの動力によりアイリスリング１８が回動するようになっている。
【００３３】
ケース２８の上面にはズームシーソーコントロールスイッチ３０、絞りのオート／マニュアルモード切替スイッチ３２等が設けられている。
【００３４】
ケース２８の側面にはグリップバンド４０が設けられている。操作者（カメラマン）はこのグリップバンド４０の中に右手（親指以外の４本の指）を挿入してレンズ鏡胴１２を保持することができるようになっている。ケース２８の後面には、撮影中の映像を記録（録画）する際の録画開始／終了を操作するためのＶＴＲスイッチ４２が設けられている。
【００３５】
＜第１の実施形態＞
図２は上記レンズ装置１０の第１の実施形態を示す要部断面図であり、ズームレンズ部分の断面に関して示している。尚、図９に示した従来のレンズ装置と共通する部分には同一の符号を付し、その詳細な説明は省略する。また、図２上では、図９に示したレンズ枠４及びレンズ６は省略されている。
【００３６】
図２において、本発明に係るレンズ装置１０の第１の実施形態と、図９に示した従来のレンズ装置とは、ズームリング１６の構造が相違している。
【００３７】
このズームリング１６は、カメラマンがズームリング１６を把持する握力により容易に変形できるように構成されており、例えば、柔らかい樹脂、あるいは肉厚を薄くした樹脂等により構成されている。
【００３８】
固定環５は、アルミ合金又は硬質の樹脂で構成されており、カメラマンの握力では変形しない剛性を有している。また、ズームリング１６と固定環５との間には、潤滑剤としてのグリース５０が充填されている。
【００３９】
いま、図２（ｃ）上で、ズームリング１６に対して矢印方向から圧力（カメラマンから握力）が加えられると、ズームリング１６は弾性変形し、ズームリング１６と固定環５との隙間が、握力に応じて狭くなる。
【００４０】
ズームリング１６の操作トルクは、ズームリング１６と固定環５との間に充填されたグリース５０の粘性抵抗（回転抵抗）、及び各部品の締め付け力により変化するが、上記のようにズームリング１６と固定環５との隙間が狭くなると、粘性抵抗が増加する。これは、粘性抵抗はグリース５０が充填される隙間の厚みに逆比例するからである。
【００４１】
これにより、カメラマンは、ズームリング１６を手動操作する際に、ズームリング１６を把持する握力を調整することにより（即ち、ズームリング１６と固定環５との隙間を調整してグリース５０による粘性抵抗を変化させることにより）、ズームリング１６の操作トルクを調整することができる。
【００４２】
＜第２の実施形態＞
図３は本発明に係るレンズ装置の第２の実施形態を示す要部断面図であり、ズームレンズ部分の断面に関して示している。尚、図２に示した第１の実施形態と共通する部分には同一の符号を付し、その詳細な説明は省略する。
【００４３】
図３に示す第２の実施形態のレンズ装置は、図２に示した第１の実施形態のレンズ装置と比較して、主としてズームリング１６１の断面形状が相違している。
【００４４】
図３に示すように、このズームリング１６１は、カメラマンがズームリング１６を把持する握力により容易に変形できるように構成されている点で、図２に示したズームリング１６と共通しているが、撮影光学系の光軸方向の肉厚が連続的に変化するように構成されている点で相違する。
【００４５】
これにより、ズームリング１６１を把持する握力を一定にしても、そのズームリング１６１を把持する位置（光軸方向の位置）を調整することにより、ズームリング１６１の変形量（操作トルク）を連続的に調整することができる。
【００４６】
したがって、カメラマンは、ズームリング１６１の操作トルクを上げたい場面では、ズームリング１６１が変形しやすい箇所（肉厚の薄い箇所）を握り、ズームリング１６１の操作トルクを下げたい場面では、ズームリング１６１が変形しにくい箇所（肉厚の厚い箇所）を握って操作することにより、ズームリング１６１を所望の操作トルクのもとで操作することができる。
【００４７】
＜第３の実施形態＞
図４は本発明に係るレンズ装置の第３の実施形態を示す要部断面図であり、ズームレンズ部分の断面に関して示している。尚、図３に示した第２の実施形態と共通する部分には同一の符号を付し、その詳細な説明は省略する。
【００４８】
図４に示す第３の実施形態のレンズ装置は、図３に示した第２の実施形態のレンズ装置とは、主としてズームリング１６２の断面形状が相違している。
【００４９】
即ち、図３に示した第２の実施形態に係るズームリング１６１は、撮影光学系の光軸方向の肉厚が連続的に変化しているのに対し、図４に示す第３の実施形態のズームリング１６２は、その肉厚が段階的に変化するように構成されている点で、第２の実施形態と相違している。
【００５０】
図４に示すズームリング１６２は、撮影光学系の光軸方向の位置に対応して、肉厚が薄い部分１６２ａ，肉厚が中間の厚さの部分１６２ｂ、及び肉厚が厚い部分１６２ｃの３段階に肉厚が変化するように構成されている。これにより、ズームリング１６２を把持する握力を一定にしても、その操作リングを把持する位置を段階的に調整することにより、ズームリング１６２の変形量（操作トルク）を段階的に調整することができる。
【００５１】
即ち、カメラマンは、ズームリング１６２の操作トルクを上げたい場面では、ズームリング１６２が変形しやすい肉厚が薄い部分１６２ａを握り、ズームリング１６２の操作トルクを下げたい場面では、ズームリング１６２が変形しにくい肉厚が厚い部分１６２ｃを握って操作することにより、ズームリング１６１を所望の操作トルクのもとで操作することができる。
【００５２】
＜第４の実施形態＞
図５は本発明に係るレンズ装置の第４の実施形態を示す要部断面図であり、ズームレンズ部分の断面に関して示している。尚、図３に示した第２の実施形態と共通する部分には同一の符号を付し、その詳細な説明は省略する。
【００５３】
図５に示す第４の実施形態のレンズ装置は、図３に示した第２の実施形態のレンズ装置に比較して、ゴムリング５２が追加されている点で相違する。
【００５４】
図５に示すように、ゴムリング５２は、ズームリング１６１の外周面を被覆し、かつズームリング１６１を覆った状態で、その外径が撮影光学系の光軸方向の位置によらず略一定となっている。これにより、ズームリング１６１の外周面のテーパを意識すること（違和感）なく操作することができる。
【００５５】
尚、ゴムリング５２の最も肉厚の厚い部分は、ズームリング１６１の最も肉厚の薄い部分と比べても充分に変形しやすい弾性材料で構成されており、これによりゴムリング５２の厚みがズームリング１６１の変形のしやすさに影響しないようになっている。
【００５６】
＜第５の実施形態＞
図６は本発明に係るレンズ装置の第５の実施形態を示す要部断面図であり、ズームレンズ部分の断面に関して示している。尚、図４に示した第３の実施形態と共通する部分には同一の符号を付し、その詳細な説明は省略する。
【００５７】
図６に示す第５の実施形態のレンズ装置は、図４に示した第３の実施形態のレンズ装置に比較して、ゴムリング５４が追加されている点で相違する。
【００５８】
図６に示すように、ゴムリング５４は、ズームリング１６２の外周面を被覆し、かつズームリング１６２を覆った状態で、その外径が撮影光学系の光軸方向の位置によらず略一定となっている。これにより、ズームリング１６２の外周面の段差を意識すること（違和感）なく操作することができる。
【００５９】
＜第６の実施形態＞
図７は本発明に係るレンズ装置の第６の実施形態を示す要部断面図であり、ズームレンズ部分の断面に関して示している。尚、図３に示した第２の実施形態と共通する部分には同一の符号を付し、その詳細な説明は省略する。
【００６０】
図７に示す第６の実施形態のレンズ装置は、図３に示した第２の実施形態のレンズ装置と比較して、ズームリング１６１と固定環５との隙間に充填されているグリース５６が相違している。
【００６１】
図７（ｂ）は、図７（ａ）に示したズームリング１６１と固定環５との隙間の拡大図である。図７（ｂ）に示すようにズームリング１６１と固定環５との隙間に充填されているグリース５６には、タングステンやセラミック等の微粒子（ビーズ）５６ａが練り込まれている。
【００６２】
これにより、ズームリング１６１の変形が進んでも、ズームリング１６１と固定環５との隙間には微粒子５６ａが介在し（図７（ｃ））、隙間が０になること（グリース切れが発生すること）がなく、ズームリング１６１の操作トルクが過大にならないようにしている。
【００６３】
尚、この微粒子５６ａが練り込まれたグリース５６は、第２の実施形態のものに限らず、他の実施形態のズームリングと固定環との隙間に充填してもよい。
【００６４】
＜第７の実施形態＞
図８は本発明に係るレンズ装置の第７の実施形態を示す要部断面図であり、ズームレンズ部分の断面に関して示している。尚、図２に示した第１の実施形態と共通する部分には同一の符号を付し、その詳細な説明は省略する。
【００６５】
図８に示すように、このズームリング１６３は、カメラマンがズームリング１６を把持する握力により容易に変形できるように構成されている点で、図２に示したズームリング１６と共通しているが、ズームリング１６３の内周面に複数本（この実施形態では、８本）のＶ字状の切れ込み１６３ａが等間隔で形成されている点で相違する。
【００６６】
ズームリング１６３は、主として８本のＶ字状の切れ込み１６３ａの部分が、外部からの押圧力により変形する。即ち、図８（ｂ）に示すように、ズームリング１６３に適宜の握力（図８（ｂ）上で矢印方向の押圧力）を加えてズームリング１６３を回転操作すると、ズームリング１６３の内周面側の一部（図８（ｂ）上の時計の針１２時、６時の位置）には引っ張り力が作用し、約９０度異なる内周面側の一部（時計の針３時、９時の位置）には圧縮力が作用する。上記引っ張り力が作用する内周面近傍のＶ字状の切れ込み１６３ａは、その切れ込みが拡がり、圧縮力が作用する内周面近傍の切れ込み１６３ａは、その切れ込みが狭くなる。
【００６７】
そして、ズームリング１６３を把持する握力を大きくし、ズームリング１６３の変形量が大きくなると、８本のＶ字状の切れ込み１６３ａのうちの一部の切れ込み（図８（ｂ）に示す時計の針３時、９時の位置の切れ込み）が塞がるようになる。ズームリング１６３の内周面に形成された８本のＶ字状の切れ込み１６３ａのうちの一部の切れ込みが塞がると、ズームリング１６３はそれ以上変形しなくなり、又は変形しづらくなり、これにより、ズームリング１６３の過度の変形を防止することができ、部品の破損やグリース切れを防止することができる。また、Ｖ字状の切れ込み１６３ａには、グリース５０が充填されるため、これによってもグリース切れを防止する効果がある。
【００６８】
尚、ズームリング１６３の内周面に形成されるＶ字状の切れ込み１６３ａは、撮影光学系の光軸方向の位置に応じて切れ込みの深さ、又は本数が異なるように形成するようにしてもよい。これによれば、ズームリング１６３の弾性変形のしやすさを、ズームリング１６３の光軸方向の位置によって異ならせることができ、ズームリング１６３を握る位置を調整することにより、ズームリング１６３の変形量（操作トルク）を調整することができる。
【００６９】
［その他］
上記の実施形態では、ズームリングの操作トルクを、カメラマンが任意に調整する場合について説明したが、これに限らず、フォーカスリング１４の操作トルク、アイリスリング１８の操作トルクも同様に調整することができ、要は操作トルクの調整が必要な操作リングであれば、いかなる操作リングにも本発明は適用できる。
【００７０】
また、これらの操作リングを電動に切り替えて駆動する場合には、操作リングを弾性変形させるような押圧力が作用しないため、駆動トルクが大きくなることはない。
【００７１】
更に、本発明は上述した実施形態に限定されず、本発明の精神を逸脱しない範囲で種々の変形が可能であることは言うまでもない。
【符号の説明】
【００７２】
２…カム筒、５…固定環、１２…レンズ鏡胴、１４…フォーカスリング、１６、１６１、１６２、１６３…ズームリング、１６３ａ…切れ込み、１８…アイリスリング、５０、５６…グリース、５６ａ…微粒子、５２、５４…ゴムリング
【図１】
2013050685.tif 000003
【図２】
2013050685.tif 000004
【図３】
2013050685.tif 000005
【図４】
2013050685.tif 000006
【図５】
2013050685.tif 000007
【図６】
2013050685.tif 000008
【図７】
2013050685.tif 000009
【図８】
2013050685.tif 000010
【図９】
2013050685.tif 000011